(57)【要約】【課題】棒状製品と共に箱に収容するスペーサを、一枚の板状シートから容易に作製することができ、箱内での製品のがたつきや不用意な箱内からの製品の飛び出しを防止することができ、また情報表示に適したものであると共に、さらに箱内に収容する製品を衝撃から保護できるものとする。【解決手段】長手方向の端面が開口する柱状の箱２０に、棒状製品３０と共に収容するスペーサ１Ａが、一枚の板状シートを、長手方向の折線２ａ、２ｂにより複数面４、５に屈曲させることにより形成されている。箱２０の開口面（蓋２３）側のスペーサ縁辺に把持用タブ３が突出している。【選択図】図２
2013169219.tif 000002
【特許請求の範囲】
【請求項１】
長手方向の端面が開口する柱状の箱に、棒状製品と共に収容するスペーサであって、板状シートが長手方向の折線により複数面に屈曲しており、箱の開口面側のスペーサ縁辺に把持用タブが突出しているスペーサ。
【請求項２】
スペーサが箱に収容された状態で、把持用タブが箱の内面から離れて突出している請求項１記載のスペーサ。
【請求項３】
製品情報が表示されている請求項１又は２記載のスペーサ。
【請求項４】
把持用タブに、製品情報の案内表示がある請求項３記載のスペーサ。
【請求項５】
把持用タブが、その基部で屈曲している請求項１〜４のいずれかに記載のスペーサ。
【請求項６】
折線により屈曲した板状シートの面が棒状製品を箱の内面に押圧する請求項１〜５のいずれかに記載のスペーサ。
【請求項７】
板状シートが長手方向の少なくとも２本の折線により外三つ折りに屈曲し、該２本の折線の間を通る複数の切込線が該折線に交わる方向に設けられ、該切込線で挟まれた帯状部分で製品が保持される請求項１〜５のいずれかに記載のスペーサ。
【発明の詳細な説明】
【技術分野】
【０００１】
本発明は、口紅、コンシーラー等の棒状製品と共に箱に収容するスペーサに関する。
【背景技術】
【０００２】
従来、製品を箱内に収容する場合に、製品の使用方法や効能などの製品情報を記載した説明書が製品と共に収容されているが、環境負荷を低減するなどの観点から、箱の内面に製品情報を印刷することがなされている。このような製品情報の印刷に適した箱として、開封により箱がフラットに展開し、大きな情報表示部が形成されるようにしたものが提案されている（特許文献１）。しかしながら、この箱によると、箱内で製品ががたつく。また、箱内に収容した製品が、箱の開封時に不用意に箱から飛び出して損傷するおそれもある。
【０００３】
一方、棒状化粧料等の棒状製品を箱に収容するにあたり、箱内での製品のがたつき等を抑制し、製品を衝撃から保護するプラスチック製の成型トレーがある（特許文献２）。しかしながら、プラスチック製の成型トレーはフラットに展開できないので、製品情報を詳細に表示するには適さない。
【０００４】
また、製品を箱に収容する場合に使用する、がたつき防止機能を有する紙製の仕切りであって、一枚のブランクシートから形成されるものがある（特許文献３）。しかしながら、この仕切りを組み立てるには複数回の折り曲げや糊付けが必要とされ、煩雑である。
【先行技術文献】
【特許文献】
【０００５】
【特許文献１】特開2006-62713
【特許文献２】特開2010-23913
【特許文献３】特開2010-100299
【発明の概要】
【発明が解決しようとする課題】
【０００６】
上述の従来技術に対し、本発明は、口紅、コンシーラー等の棒状製品と共に箱に収容するスペーサであって、一枚の板状シートから極めて容易に作製することができ、箱内での製品移動や箱内からの不用意な製品の飛び出しを防止することで棒状化粧料の折れや抜けを回避することができ、情報表示にも適し、更に箱内に収容する製品を落下等による衝撃から保護できるものを提供することを目的とする。
【課題を解決するための手段】
【０００７】
本発明者は、口紅、コンシーラー等の棒状製品と共に柱状の箱に収容するスペーサについて種々検討した結果、一枚の板状シートを箱の長手方向の折線で屈曲させ、そこに棒状製品を保持させると、箱内での製品移動や製品が不用意に箱から抜け出るのを防止できるので、棒状製品を構成する棒状化粧料等の折れや抜けを回避することができ、また、このスペーサは容易に平坦に広げることができるので、情報の表示に適していること、さらに、箱の開口端面側のスペーサ縁辺から把持用タブを突出させると、スペーサ全体を箱内から容易に引き抜くことが可能となり、これにより棒状製品も箱から容易に出せるようになること、また、この把持用タブは箱の開口時の視認性がよいことから、スペーサに情報表示があることを把持用タブに表示しておくと、消費者の注意をスペーサの情報表示に向けさせられることを知見し、本発明を想到した。
【０００８】
即ち、本発明は、長手方向の端面が開口する柱状の箱に、棒状製品と共に収容するスペーサであって、一枚の板状シートが長手方向の折線により複数面に屈曲しており、箱の開口面側のスペーサ縁辺に把持用タブが突出しているスペーサを提供する。
【発明の効果】
【０００９】
本発明のスペーサは、一枚の板状シートを長手方向の折線で複数面に屈曲させることにより、糊付けを要することなく、極めて簡単に製造することができ、また、棒状製品と共に容易に箱内に収容することができる。
【００１０】
このスペーサは、長手方向の折線で屈曲することにより棒状製品の箱内でのがたつきを抑え、また箱の開封時に棒状製品が箱内から不用意に飛び出すことを防止でき、また落下衝撃に対する緩衝効果を発揮する。
【００１１】
さらに、このスペーサは容易に平坦に広げることができるので、製品情報の表示片として好適である。
【００１２】
加えて、本発明のスペーサによれば、箱の開口端面側のスペーサ縁辺から把持用タブが突出しているので、この把持用タブを把持してスペーサ全体を箱から引き抜くことにより、容易に製品情報を読むことが可能となる。さらに、この把持用タブは、箱の開口により容易に視認され、消費者の目にとまる。したがって、この把持用タブに、スペーサを構成する面に情報が表示されている旨の案内表示をしておくと、消費者の注意をスペーサに表示した情報に向けさせることができる。
【図面の簡単な説明】
【００１３】
【図１】図１は、スペーサ１Ａの広げた状態の平面図である。
【図２】図２は、棒状製品と共に箱に収容したスペーサ１Ａの透過的斜視図(a)とその横断面図(b)である。
【図３】図３は、スペーサ１Ａを箱から引き抜いている状態の斜視図である。
【図４】図４は、棒状製品と共に箱に収容した実施例のスペーサ１Ａ’の透過的斜視図である。
【図５】図５は、スペーサ１Ｂの広げた状態の平面図である。
【図６】図６は、棒状製品と共に箱に収容したスペーサ１Ｂの透過的斜視図(a)とその横断面図(b)である。
【図７】図７は、スペーサ１Ｃの広げた状態の平面図である。
【図８】図８は、棒状製品と共に箱に収容したスペーサ１Ｃの透過的斜視図(a)とその横断面図(b)である。
【図９】図９は、スペーサ１Ｃを箱から引き抜いている状態の斜視図である。
【図１０】図１０は、スペーサ１Ｄの広げた状態の平面図である。
【図１１】図１１は、棒状製品と共に箱に収容したスペーサ１Ｄの透過的斜視図である。
【図１２】図１２は、スペーサ１Ｅの広げた状態の平面図である。
【図１３】図１３は、棒状製品と共に箱に収容したスペーサ１Ｅの透過的斜視図である。
【図１４】図１４は、スペーサ１Ｆの広げた状態の平面図である。
【図１５】図１５は、棒状製品と共に箱に収容したスペーサ１Ｆの透過的斜視図である。
【図１６】図１６は、スペーサ１Ｇの広げた状態の平面図である。
【図１７】図１７は、棒状製品と共に箱に収容したスペーサ１Ｇの透過的斜視図(a)とその横断面図(b)である。
【発明を実施するための形態】
【００１４】
以下、図面を参照しつつ本発明を詳細に説明する。なお、各図中、同一符号は同一又は同等の構成要素を表している。
【００１５】
第一の実施例として図１に示すスペーサ１Ａは、概略矩形の板状シートから形成され、長手方向に伸びた一本の折線２を有している。スペーサ１Ａの上縁の中央部の折線２の上端２ｐの直近には、把持用タブ３が突出している。このスペーサ１Ａは、図２に示すように、折線２で二つ折りにされて２つの面に屈曲した状態で箱２０に棒状製品３０と共に収容される。なお、折線２でスペーサ１Ａが二つ折りにされたとき、把持用タブ３は、折線２の延長線上からずれた位置に設けられているので、折り曲げられることはない。
【００１６】
このスペーサ１Ａは、大きな板紙状のシートを打ち抜くことにより極めて容易に製造することができ、また、折線２で屈曲させるだけで、極めて容易に、箱２０に収容する形態とすることができる。
【００１７】
スペーサ１Ａの大きさや折線２の形成位置は、箱２０に収容した状態で、スペーサ１Ａの一面４が箱２０の一つの側面２１ａに沿い、スペーサ１Ａの面４の側縁４ａとその反対側である折線２の折れ山とが、それぞれ箱２０の一つの内面の両端に位置する屈曲部２２ａ、２２ｂに当接し、スペーサの他面５が箱２０の横断面の対角線上に位置し、その他面５と箱２０の内壁とで棒状製品３０を挟持できるように、より具体的には、箱２０の側面２１ｂ、２１ｃの内面に棒状製品３０をスペーサ１Ａの面５で押しつけられるように定める。この場合、他面５の側縁５ａが箱２０の横断面の対角線上で突っ張るようにする、言い換えると他面５の幅が箱２０の横断面の対角線の長さとほぼ同じか若干長いことが好ましい。これにより、箱２０内での棒状製品３０のがたつきが効果的に防止され、また、スペーサ１Ａは、側縁５ａが箱２０の横断面の対角線上で突っ張ることで板バネ様の効果を発揮し、箱２０を押し潰す力に対して緩衝材として機能する。したがって、落下や振動等により箱２０に衝撃が加えられた場合の棒状化粧料の損傷を起こりにくくすることができる。
【００１８】
箱２０は四角柱状で、長手方向（縦方向）の端の両面が差込式の蓋２３となっている所謂キャラメル式のものである。箱２０に、スペーサ１Ａを使用せずに棒状製品３０を収容した場合には、箱２０の蓋２３を開口したときに、不用意に箱２０が傾くことによって棒状製品３０が飛び出すおそれがあるが、スペーサ１Ａと共に棒状製品３０を箱２０に収容すると、棒状製品３０は、スペーサ１Ａの面５と箱２０の内壁で挟持されているので、箱２０の開口時に棒状製品３０が箱２０から飛び出すことを防止できる。
【００１９】
把持用タブ３は、指で摘みやすい大きさに形成する。また、図２に示すように、スペーサ１Ａを箱２０に収容した状態で、スペーサ１Ａを構成する複数の面４、５のうち、箱の内面に密着せず箱の内面に非平行な面５の、箱２０の開口面側の縁辺から、把持用タブ３を突出させることが好ましい。このように把持用タブ３を、箱２０の内面から離してスペーサ縁辺から突出させると、蓋２３をあけたときの把持用タブ３の視認性が高まり、また、摘みやすさが向上する。
【００２０】
また、本実施例では、把持用タブ３は、箱２０の長手方向に起立しており、これによっても把持用タブ３の摘みやすさが向上する。
【００２１】
また、本実施例では、把持用タブ３の上端３ｐが箱２０の蓋２３の近傍になるようにスペーサ１Ａの大きさを決定した。こうすることで、蓋２３を開けたときの把持用タブ３の視認性がさらに高まり、また、摘みやすさが一層向上する。
【００２２】
したがって、本実施例によれば、図３に示すように、把持用タブ３を摘んでスペーサ１Ａ全体を容易に箱２０から引き抜くことが可能となる。
【００２３】
箱２０から引き抜いたスペーサ１Ａは、図１に示したように容易に平坦に広げられるので、スペーサ１Ａには製品情報、より具体的には製品の使用方法や効能などの情報表示をしておくことが好ましい。また、箱２０にスペーサ１Ａが収容されている状態では、スペーサ１Ａに情報表示がなされていることが消費者にはわかりにくいことから、スペーサ１Ａに情報表示があることを消費者に案内するために、把持用タブ３に、スペーサ１Ａに情報表示がされている旨の案内表示をしておくことが好ましい。
【００２４】
スペーサ１Ａを形成する板状シートの形成材料としては、板紙やＰＰ、ＰＥＴ等のプラスチックシートを使用することができ、中でも、棒状製品３０のがたつき防止と箱からの不用意な飛び出し防止と任意の面に印刷が出来る点から、板紙を使用することが好ましい。
【００２５】
本発明は、種々の態様をとることができる。例えば、上述のスペーサ１Ａにおいて、棒状製品３０の高さとスペーサの面４、５の高さとは略同じであるが、図４に示すように、棒状製品３０の高さに対して、スペーサの面４、５の方が高いスペーサ１Ａ’としてもよい。
【００２６】
図５のスペーサ１Ｂは、図１のスペーサ１Ａに対して把持用タブ３の位置を、棒状製品３０を押さえるスペーサの面５の側縁側すなわち折線２とは反対の側に移動し、この面５の側縁と把持用タブ３の側縁とを連続させたものである。このスペーサ１Ｂによれば、図６に示すように、棒状製品３０と共にスペーサ１Ｂを箱２０に収容した状態で、把持用タブ３をその基部で屈曲させ、棒状製品３０の上部に被せることができ、それにより棒状製品３０の長手方向の衝撃緩衝効果を向上させることができる。
【００２７】
図７のスペーサ１Ｃは、長手方向の折線２ａ、２ｂで板状シートを外三つ折りにして３つの面４、５、６に屈曲させると共に、その折線２ａ、２ｂと交わる方向、好ましくは折線２ａ、２ｂに垂直な方向の切込線７ａ、７ｂを、折線２ａ、２ｂの間を通り、さらに一方の折線２ｂを超えるように形成したものである。切込線７ａ、７ｂの長さは、棒状製品３０の大きさに応じて定められる。切込線７ａ、７ｂで挟まれた帯状部分８には、図８に示すように切込線７ａ、７ｂが矩形に開くように折線９ａ、９ｂを設けることが、切込線７ａ、７ｂで形成される開口部に棒状製品３０を挿入しやすくする点から好ましい。
【００２８】
スペーサ１Ｃの面４、５、６の大きさは、両側の面の縁辺４ａ、５ａが、箱２０の内面の対角にある屈曲部２２ａ、２２ｃに当接するように定めることが、棒状製品３０のがたつき低減の点から好ましい。
【００２９】
このスペーサ１Ｃを用いて棒状製品３０を箱２０に収容する場合には、図８に示すように、折線２ａ、２ｂ、９ａ、９ｂを折り曲げて帯状部分８を浮き上がらせ、切込線７ａ、７ｂで形成される矩形の開口部に棒状製品３０を挿入し、帯状部分８と、帯状部分８の上下の領域とで棒状製品３０が保持されるようにする。
【００３０】
このスペーサ１Ｃによれば、棒状製品３０をスペーサ１Ｃと共に箱２０に収容するにあたり、前述のスペーサ１Ａに比して、予めスペーサ１Ｃの切込線７ａ、７ｂに棒状製品３０を挿入しておくことが必要となるが、棒状製品３０を強く保持することができるので、箱２０内での棒状製品３０のがたつきをより低減させることが可能となる。
【００３１】
なお、このスペーサ１Ｃにおいても、外三つ折りにした面４、５、６のうち、把持用タブ３は、箱２０の内面に密着しない面６の上縁辺から突出している。そのため、箱２０を開口したときの把持用タブ３の視認性が高い。また、摘みやすく、図９に示したように、容易に箱２０内からスペーサ１Ｃを引き抜くことができる。この場合、スペーサ１Ｃと共に棒状製品３０も引き抜かれる。そのため、棒状製品３０のみが不用意に飛び出すことを防ぐことができ、更に、スペーサ１Ｃを構成する面４、５、６に情報が表示されていることを確実に視認させることが可能になる。
【００３２】
また、このスペーサ１Ｃも図７に示すように平坦に広げられるので、情報を表示するのに適しており、さらに、スペーサ１Ｃの面４、５又は６に情報表示があることを把持用タブ３に案内表示しておくことにより、消費者の注意を製品情報表示に向けさせることができる。
【００３３】
図１０のスペーサ１Ｄは、図７のスペーサ１Ｃにおいて把持用タブ３の基部に折線を設け、図１１に示すように、把持用タブ３が、その基部の折線で屈曲し、棒状製品３０の上部に被さるようにしたものである。これにより棒状製品３０の長手方向の衝撃緩衝効果を向上させることができる。
【００３４】
図１２のスペーサ１Ｅは、図７のスペーサ１Ｃにおいて切込線７ａ、７ｂの長さを短くし、帯状部分８で保持される棒状製品３０を、図１３に示すように箱に収容した状態において、箱２０の側面２１ｄから離したものである。これにより、箱２０の側面２１ｄを潰す方向の衝撃に対する緩衝効果を向上させることができる。
【００３５】
また、このスペーサ１Ｅでは、帯状部分８の中央部の長手方向の折線が省略されている。このように、棒状製品３０の大きさによって、帯状部分８に設ける折線を適宜設定することができる。
【００３６】
図１４のスペーサ１Ｆは、図７のスペーサ１Ｃにおける幅方向の２本の切込線７ａ、７ｂを１本にし、その１本の切込線７とスペーサ１Ｆの下縁で形成される帯状部分８によって、図１５に示すように、棒状製品３０が保持されるようにしたものである。
【００３７】
図１６のスペーサ１Ｇは、図７のスペーサ１Ｃに長手方向の折線２ｃ、２ｄを加えて板状シートを５つの面４、６ｐ、６ｑ、６ｒ、５に蛇腹折りにできるようにしたもので、図１７は、このスペーサ１Ｇを用いて棒状製品３０を箱２０に収容した状態の透過的斜視図である。図１７に示すように、このスペーサ１Ｇでは、その一方の側縁５ａを形成する面５が、箱２０内の一側面２１ｃと略同一幅で重なり、この側面２１ｃに対向する箱内の側面２１ａにスペーサ１Ｇの他方の側縁４ａが当接する。また、箱内の対向するもう一組の側面２１ｂ、２１ｄに、板状シートを蛇腹折りにする折線２ｂと、切込線７ａ、７ｂに挟まれた帯状部分８内の折線９ａとがそれぞれ当接する。これにより、図１７（ｂ）に示すように、棒状製品３０の側面を上面視で矩形に囲む板状シートの対向する角部（折線２ｂ、折線９ａ）が、箱２０内の対向する側面に当接するので、この角部を押し潰す方向の衝撃Ｐに対して優れた緩衝効果を得ることができる。また、この方向と垂直な方向の衝撃Ｑに対しても、蛇腹折りにした板状シート内で棒状製品３０が保持されていることにより優れた緩衝効果を得ることができる。
【００３８】
本発明のスペーサにおいて、長手方向の折線の数や、屈曲する面の数に特に制限はない。
【００３９】
また、本発明のスペーサにより、一つの箱に複数の棒状製品を収容してもよい。
【産業上の利用可能性】
【００４０】
本発明のスペーサは、口紅、コンシーラー、リップスティック、マスカラ等の棒状化粧品、スティック糊等の棒状製品を外箱に収容する場合のスペーサとして有用である。
【符号の説明】
【００４１】
１Ａ、１Ａ’、１Ｂ、１Ｃ、１Ｄ、１Ｅ、１Ｆ、１Ｇ  スペーサ
２、２ａ、２ｂ、２ｃ、２ｄ  折線
２ｐ  折線２の上端
３  把持用タブ
３ｐ  把持用タブの上端
４、５、６、６ｐ、６ｑ、６ｒ  スペーサの面
４ａ、５ａ  スペーサの側縁
７、７ａ、７ｂ  切込線
８  帯状部分
９ａ、９ｂ  折線
２０  箱
２１ａ、２１ｂ、２１ｃ、２１ｄ  箱の側面
２２ａ、２２ｂ  箱内面の屈曲部
２３  箱の蓋
３０  棒状製品
【図１】
2013169219.tif 000003
【図２】
2013169219.tif 000004
【図３】
2013169219.tif 000005
【図４】
2013169219.tif 000006
【図５】
2013169219.tif 000007
【図６】
2013169219.tif 000008
【図７】
2013169219.tif 000009
【図８】
2013169219.tif 000010
【図９】
2013169219.tif 000011
【図１０】
2013169219.tif 000012
【図１１】
2013169219.tif 000013
【図１２】
2013169219.tif 000014
【図１３】
2013169219.tif 000015
【図１４】
2013169219.tif 000016
【図１５】
2013169219.tif 000017
【図１６】
2013169219.tif 000018
【図１７】
2013169219.tif 000019